(57)【要約】【課題】トイレ室等をできるだけ狭く感じさせないようにするトイレ装置を提供する。【解決手段】便器１の後端部上に横長に設けるトイレ機能内蔵のトイレ本体４と、前記トイレ本体に設け、便器上に位置する便座２および少なくとも前記便座を覆う開閉自在な便蓋３とを備え、前記便蓋は便蓋外周部５とこれに囲まれた内周部である蓋パネル６とで形成し、前記便蓋外周部は予め成形した前記蓋パネルと一体に成形し、かつ前記便蓋外周部と蓋パネルの色を異ならせたトイレ装置である。便蓋の全体形状が引き締まって見えるとともに、閉じた状態で平面になった便蓋をコンパクトに感じさせられ、さらに便蓋の上面における便蓋外周部と蓋パネルの接合部に汚れの付着する隙間を生じさせない。【選択図】　図１
2004065542.tif 000002
【特許請求の範囲】
【請求項１】
便器の後端部上に横長に設けるトイレ機能内蔵のトイレ本体と、前記トイレ本体に設け、便器上に位置する便座および少なくとも前記便座を覆う開閉自在な便蓋とを備え、前記便蓋は便蓋外周部とこれに囲まれた内周部である蓋パネルとで形成し、前記便蓋外周部は予め成形した前記蓋パネルと一体に成形し、かつ前記便蓋外周部と蓋パネルの色を異ならせてなるトイレ装置。
【請求項２】
便蓋外周部は、蓋パネルの裏側を覆って前記蓋パネルの補強を兼ねてなる請求項１記載のトイレ装置。
【請求項３】
蓋パネルは、裏面にオイル転写により着色または半透明材で形成してなる請求項１または請求項２記載のトイレ装置。
【請求項４】
便蓋は、トイレ本体の上面も覆う大きさに形成し、かつ蓋パネルは便座の内縁に沿い、一部が前記トイレ本体にさしかかる大きさに形成し、さらに前記一部に表示可能部を形成してなる請求項１〜３のいずれかに記載のトイレ装置。
【請求項５】
請求項１〜４のいずれかに記載のトイレ装置であって、トイレ本体を便器の後端部上に横長に設けてなるトイレ装置。
【請求項６】
蓋パネルを予め別に成形するステップと、前記蓋パネルを金型内に置き、この金型内に合成樹脂を注入して前記蓋パネルと一体に便蓋外周部を成形するステップとを有する請求項１〜５のいずれかに記載のトイレ装置の製造方法。
【発明の詳細な説明】
【０００１】
【発明の属する技術分野】
本発明は、便座およびその便蓋を備え、人体局部を洗浄するトイレ機能を有するトイレ本体を便器の後端部上に設けて使用するトイレ装置に関する。
【０００２】
【従来の技術】
この種従来のトイレ装置は、図６、図７に示すように便器６０上に設けた便座６１、その便蓋６２、そして便座６１と便蓋６２の後端部を軸で支持して開閉自在に取り付け、便器６０の後端部上に設置したトイレ本体６３を備えている。便蓋６２は、合成樹脂で一枚の略平板に成形し、かつ便座６１、トイレ本体６３と同一色のピンク、ブルー、ベージュ等に着色されている。トイレ本体６３は、用便後の人体局部を温水で洗浄する肛門用、ビデ用の洗浄ノズル、洗浄後の人体局部を乾燥させる装置、臭気を脱臭する装置等のトイレ機能を内蔵している。
【０００３】
このようなトイレ装置にあって便座６１は、用便者が安定して着座するに必要な大きさに設定され、これを覆う便蓋６２はさらに大きく形成されている。すなわち、便蓋６２は便座６１を閉じた状態では、図６に示す上面図から明らかなようにトイレ装置における全面積の大半を占めることになり、しかも便座６１、トイレ本体６３と同一色で着色され、かつ略平らな一枚ものになって見えることになり、実際よりも大きく視覚的に感じることになる。
【０００４】
従って、トイレ室に設置されたトイレ装置は、使用者がドアを空けてトイレ室に入った時に先ず視野に入るのは、図６に示すように閉じている便蓋６２が同一色のトイレ本体６３と略平らな一枚ものになっている状態であるから、便蓋６２の大きさが余計に目立ってトイレ室を狭く感じさせてしまうことになり、特に狭いトイレ室では一層、狭く感じてしまい快適なスペースを確保するには至っていなかった。
【０００５】
また、従来の洗濯機の開閉蓋では図８に示すように蓋枠８０と透明の蓋パネル８１で構成し、蓋パネル８１の爪８２を蓋枠８０の係合孔８３に係合して取り付けている。このような開閉蓋の構成では、爪８２による取付けのために、どうしても構造上から蓋枠８０と蓋パネル８１の間に嵌合隙間８４が生じる。そして、この嵌合隙間８４に付着した汚れが取りにくくなり、不衛生になるものであった。
【０００６】
【発明が解決しようとする課題】
上記従来の技術の問題点に鑑み、本発明が解決しようとする課題は、コンパクト感を視覚的に強調でき、かつ衛生的なトイレ装置を提供することにある。
【０００７】
【課題を解決するための手段】
上記従来の技術の問題点を解決するため本発明のトイレ装置は、便蓋外周部を、これに囲まれた蓋パネルと一体に成形して便蓋を形成し、かつ便蓋外周部と蓋パネルの色を異ならせたもので、便蓋外周部と蓋パネルの色の違いにより便蓋の形状が引き締まり、装置全体のコンパクト感が強調されるとともに、便蓋の上面における便蓋外周部と蓋パネルの接合部を清潔にできる。
【０００８】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【０００９】
請求項１記載に係る発明は、便器の後端部上に横長に設けるトイレ機能内蔵のトイレ本体と、前記トイレ本体に設け、便器上に位置する便座および少なくとも前記便座を覆う開閉自在な便蓋とを備え、前記便蓋は便蓋外周部とこれに囲まれた内周部である蓋パネルとで形成し、前記便蓋外周部は予め成形した前記蓋パネルと一体に成形し、かつ前記便蓋外周部と蓋パネルの色を異ならせたトイレ装置である。
【００１０】
上記実施の形態によれば、便蓋外周部と蓋パネルに分割し、そして便蓋外周部と蓋パネルの色の違いにより、便蓋の全体形状が引き締まって見えるとともに、閉じた状態で平面になった便蓋をコンパクトに感じさせられ、さらに便蓋の上面における便蓋外周部と蓋パネルの接合部に汚れの付着する隙間を生じさせないようにできる。
【００１１】
請求項２記載に係る発明は、請求項１記載において、便蓋外周部は、蓋パネルの裏側を覆って前記蓋パネルの補強を兼ねたトイレ装置で、蓋パネルを補強することはもちろん、この蓋パネルを覆う部分を便蓋外周部と一体に成形することも可能になる。
【００１２】
請求項３記載に係る発明は、請求項１または請求項２記載において、蓋パネルの裏面にオイル転写により着色または内周部を半透明材で形成したトイレ装置で、便蓋の蓋パネルに深みが生じ、蓋パネルと便蓋外周部の色の違いによる便蓋の全体形状の引き締まり感を、一層強調させられる。
【００１３】
請求項４記載に係る発明は、請求項１〜３のいずれかの記載において、便蓋は、トイレ本体の上面も覆う大きさに形成し、かつ蓋パネルは便座の内周部に沿い、一部が前記トイレ本体にさしかかる大きさに形成し、さらに前記一部に表示可能部を形成したトイレ装置である。
【００１４】
上記実施の形態によれば、便座だけでなくトイレ本体も覆う便蓋の蓋パネルは、トイレ本体のところまで大きくなっても、蓋パネルと便蓋外周部の色の違いによる便蓋の全体形状の引き締まり感により、大きく目立つのを軽減させられ、かつ蓋パネルの下側が外周の便座を除き支えがないので、上には過重を加えないように製品取扱い説明書等で注意を促す際でも判り易くできる。さらに便蓋の表示可能部は、トイレ本体の上面を覆っていてもトイレ本体のトイレ機能部の通電表示等を表示可能にする。
【００１５】
請求項５記載に係る発明は、請求項１〜４のいずれかに記載のトイレ装置であって、トイレ本体を便器の後端部上に横長に設けたトイレ装置で、便蓋の全体形状の引き締まり感により、狭いトイレ室のスペース感を良好にする。
【００１６】
請求項６記載に係る発明は、請求項１〜５のいずれかに記載のトイレ装置であって、蓋パネルを予め別に成形するステップと、前記蓋パネルを金型内に置き、この金型内に合成樹脂を注入して前記蓋パネルと一体に便蓋外周部を成形するステップとを有するトイレ装置の製造方法で、便蓋の生産性を向上させられるとともに、予め蓋パネルへの着色が可能であり、さらに便蓋外周部と蓋パネルの接合部が一体になり、便蓋の上面における便蓋外周部と蓋パネルの接合部に汚れ付着の隙間をなくせる。
【００１７】
以下本発明のトイレ装置とその製造方法につき、図面に従い説明する。
【００１８】
（実施の形態１）
図１は、本発明のトイレ装置の一部を透視して示す斜視図で、図２はトイレ装置の一部を透視して示す上面図で、図３はトイレ装置の便座と便蓋部分を図２のＡ−Ａ線で断面して示す概略拡大断面図で、図４はトイレ装置の便座と便蓋の部分を分解して示す斜視図で、図５はトイレ装置の便蓋の開いた状態を示す斜視図である。
【００１９】
トイレ装置は、便器１上に設けた便座２と、便蓋３と、そして便座２と便蓋３の後端部を軸で支持して開閉自在に取付け、便器１の後端部上に設置した横長のトイレ本体４を備えている。トイレ本体４は、用便後の人体局部を温水で洗浄する肛門用、ビデ用の洗浄ノズル、洗浄後の人体局部を乾燥させる装置、臭気を脱臭する装置等（いずれも図示せず）のトイレ機能を内蔵している。
【００２０】
便座２は大きな輪状で、用便者が安定して着座するのに必要な大きさに設定されている。便蓋３は便座２とトイレ本体４の上面および外周側面を覆う上面が僅かに円弧面を成した略平らな一枚ものの大きさに設定され、便座２だけでなくトイレ本体４にも埃がかからないようにして、略平らな一枚ものの便蓋３を拭くだけで通常の掃除が簡単に済ませられるように構成している。
【００２１】
このような便蓋３は、便座だけを覆う従来の便蓋よりトイレ本体を覆う分だけ全体形状が大きくなり、閉じた時に便蓋３そのものの面積が装置全体の平面積になってしまうので、トイレ室に設置されたトイレ装置はトイレ室を狭く感じさせてしまう恐れがある。
【００２２】
そこで、掃除がし易くて、かつ全体形状が引き締まって便蓋３が見えるようにするため本実施の形態では、便蓋３を次のように構成している。すなわち、合成樹脂で成形した便蓋３は、外周部であるポリプロピレで成形した便蓋外周部５と便蓋外周部５に囲まれた内周部である透明なアクリル樹脂で予め成形した蓋パネル６の２部品で構成し、便蓋外周部５は予め成形した蓋パネル６と一体に成形し、かつ便蓋外周部５をグレーの色、蓋パネル６をピンクの色に着色して色を異ならせ、全体形状が引き締まって見えるようにしている。
【００２３】
蓋パネル６は、容易に種々の着色が選択できるようにするため、便蓋外周部５とは別個に予め成形するものである。また、蓋パネル６は透明材の蓋パネルの裏面にオイル転写によりピンク色を塗装７して蓋パネル自身に深みを生じさせ、便蓋外周部５との色の違いによる便蓋３の全体形状の引き締まり感を、一層強調できるように構成している。
【００２４】
さらに蓋パネル６は、便座２の内縁２ａに沿い、一部がトイレ本体４にさしかかる大きさに形成し、前記一部にトイレ本体４のトイレ機能における通電等の表示部４ａに対向した透明または半透明の表示可能部８を形成している。９は蓋パネル６の裏面を支えて補強を兼ねる裏蓋パネルで、便蓋外周部５が蓋パネル６と一体に成形される際に、裏蓋パネルも同時に一体に成形するものである。１０は便蓋外周部５と蓋パネル６との接合部で、階段状に形成して蓋パネル６の便蓋外周部６への確実な取付けを行うものである。
【００２５】
上記実施の形態において、便蓋３の製造は次のようなステップで行う。すなわち、蓋パネル６は予め便蓋外周部５と別個に成形してピンクの色を塗装７する。そして、この蓋パネル６を便蓋外周部５の成形金型内におき、その後に前記金型内に樹脂を注入して便蓋外周部５を成形するとともに、前記成形時に蓋パネル６を便蓋外周部５と一体にするものである。
【００２６】
以上のように本実施の形態では、便蓋外周部とこれに囲まれた蓋パネルとで便蓋を構成し、便蓋外周部を予め成形した蓋パネルと一体に成形し、さらに便蓋外周部の色と蓋パネルの色とに違いを持たせているので、便蓋の全体形状が引き締まって見えるようになり、便座だけでなくトイレ本体も覆う略平らな大きな便蓋であっても、コンパクト感を強調でき、さらに便蓋の上面における蓋パネルと便蓋外周部との接合部に汚れの付着する隙間を生じさせないようにでき、清潔な便蓋にできる。
【００２７】
また、便蓋外周部は一体に成形した裏蓋パネルにより蓋パネルを補強できるので、便蓋全体の強度を増すことができるとともに、前記補強構造を簡単に形成できる。
【００２８】
また、蓋パネルへの着色はオイル転写により着色または内周部を半透明材で形成したので、便蓋の内周部である蓋パネルに深みが生じ、蓋パネルと便蓋外周部の色の違いによる便蓋の全体形状の引き締まり感を、一層強調させることができる。
【００２９】
また便蓋は、トイレ本体の上面も覆う大きさに形成し、かつ蓋パネルは便座の内縁に沿い、一部が前記トイレ本体にさしかかる大きさに形成し、さらに前記一部に表示可能部を形成しているので、便座だけでなくトイレ本体も覆う便蓋の蓋パネルは、トイレ本体のところまで大きくなっても、便蓋外周部と蓋パネルの色の違いによる便蓋の全体形状の引き締まり感により、大きく目立つのを軽減させられ、かつ蓋パネルの下側が外周の便座を除き支えがないので、上には過重を加えないように使用者に注意を促す際でも判り易くできる。さらに便蓋の表示可能部は、トイレ本体の上面を覆っていてもトイレ本体のトイレ機能部の通電表示等を表示できる。
【００３０】
なお、本実施の形態では、便座２からトイレ本体４まで覆う大きさの便蓋３に本発明を実施したが、便座２だけを覆う大きさの便蓋に適用しても本実施の形態と同様の効果を期待できる。また、本実施の形態では透明のアクリル樹脂にオイル転写によりピンク色を塗装して蓋パネル６を形成したが、半透明材を使用しても良い。さらに、便蓋外周部５と蓋パネル６との接合部１０は階段状に形成したが、直線的なものであっても良い。
【００３１】
【発明の効果】
以上のように本発明のトイレ装置は、便蓋の全体形状が引き締まって見えることにより、装置全体のコンパクト感を強調できるとともに、トイレ室を狭く感じさせないようにでき、さらに便蓋の上面における便蓋外周部と蓋パネルの接合部を清潔にできる。
【図面の簡単な説明】
【図１】本発明の実施の形態１におけるトイレ装置の一部を透視して示す斜視図
【図２】同実施の形態１におけるトイレ装置の一部を透視して示す上面図
【図３】同実施の形態１におけるトイレ装置の便座と便蓋部分を図２のＡ−Ａ線で断面して示す概略拡大断面図
【図４】同実施の形態１におけるトイレ装置の便座と便蓋を分解して示す斜視図
【図５】同実施の形態１におけるトイレ装置の便蓋を開いた状態を示す斜視図
【図６】従来のトイレ装置の上面図
【図７】同トイレ装置の便蓋を開いた時の斜視図
【図８】従来の洗濯機等における開閉蓋の要部拡大断面図
【符号の説明】
１　便器
２　便座
３　便蓋
４　トイレ本体
５　便蓋外周部
６　蓋パネル
７　塗装（着色）
８　表示可能部
９　裏蓋パネル
【図１】
2004065542.tif 000003
【図２】
2004065542.tif 000004
【図３】
2004065542.tif 000005
【図４】
2004065542.tif 000006
【図５】
2004065542.tif 000007
【図６】
2004065542.tif 000008
【図７】
2004065542.tif 000009
【図８】
2004065542.tif 000010